(57)【特許請求の範囲】
【請求項１】
全体が直方体の箱形状をなし、その底部を構成する底部ベースと上部を構成する上部枠との間に、１対の跳上側壁と１対の折曲側壁とがそれぞれ対向配置され、
前記跳上側壁が、上端部のみを前記上部枠に回動可能に連結される一方、前記折曲側壁が、上下の両端部を前記上部枠と前記底部ベースとに回動可能に連結され、前記１対の跳上側壁を上方に回動してから、前記１対の折曲側壁を内側に２つ折りに畳むことが可能な折畳コンテナであって、
前記底部ベースの下面のうち前記跳上側壁の下方の外縁部中央から上方に突出した外縁中央突部を備え、前記跳上側壁の下端部には、前記外縁中央突部が嵌合する下端凹部と、前記跳上側壁の外面に突出形成されて前記跳上側壁の横方向に延びかつ前記下端凹部によって分割された１対の第１水平リブと、前記跳上側壁の外面に突出形成されて前記下端凹部の上端部を横切りかつ前記下端凹部の両側方に延びた第２水平リブとが備えられた折畳コンテナにおいて、
前記第２水平リブの下面の一部で構成されて前記下端凹部の奥側で下方を向いた凹部奥面には、その凹部奥面における前記第２水平リブの先端側の縁部全体から下方に張り出した第１垂下横リブと、前記凹部奥面における前記第２水平リブの基端側の縁部全体から下方に張り出した第２垂下横リブと、前記凹部奥面から突出して前記第１垂下横リブと前記第２垂下横リブとの間を連絡した複数の垂下縦リブと、隣り合った１対の前記垂下縦リブの間を連絡しかつ前記凹部奥面から突出した垂下連絡リブとが形成されると共に、
前記第２水平リブのうち前記垂下連絡リブより前記第１垂下横リブ側位置に貫通形成された第１ロック部材挿入孔と、前記外縁中央突部のうち前記第１ロック部材挿入孔と上下方向で対向する位置に貫通形成された第２ロック部材挿入孔と、前記底部ベースの側面に形成されて、前記外縁中央突部の下方空間を側方に開放した側面開口とを備えたことを特徴とする折畳コンテナ。
【請求項２】
前記第１垂下横リブ及び前記第２垂下横リブにおける横方向の両端部の間に前記垂下縦リブがそれぞれ配置され、それら垂下縦リブの下端部から下端凹部の両側方に延びた１対の水平補強リブが、前記跳上側壁の外面に一体形成されたことを特徴とする請求項１に記載の折畳コンテナ。
【請求項３】
前記下端凹部の両側方で、前記第１水平リブと前記水平補強リブとに挟まれた１対の係合部屋を前記下端凹部に連通させて、前記外縁中央突部から両側方に突出した１対の係止突片を前記１対の係合部屋に収容可能とすると共に、前記１対の係合部屋の内面と前記１対の係止突片とに互いに凹凸係合可能な凹凸係合部を設けたことを特徴とする請求項２に記載の折畳コンテナ。
【請求項４】
全体が直方体の箱形状をなし、その底部を構成する底部ベースと上部を構成する上部枠との間に、１対の跳上側壁と１対の折曲側壁とがそれぞれ対向配置され、
前記跳上側壁が、上端部のみを前記上部枠に回動可能に連結される一方、前記折曲側壁が、上下の両端部を前記上部枠と前記底部ベースとに回動可能に連結され、前記１対の跳上側壁を上方に回動してから、前記１対の折曲側壁を内側に２つ折りに畳むことが可能な折畳コンテナであって、
前記底部ベースの下面のうち前記跳上側壁の下方の外縁部中央から上方に突出した外縁中央突部を備え、前記跳上側壁の下端部には、前記外縁中央突部が嵌合する下端凹部と、前記跳上側壁の外面に突出形成されて前記跳上側壁の横方向に延びかつ前記下端凹部によって分割された１対の第１水平リブと、前記跳上側壁の外面に突出形成されて前記下端凹部の上端部を横切りかつ前記下端凹部の両側方に延びた第２水平リブとが備えられた折畳コンテナにおいて、
前記第２水平リブの下面の一部で構成されて前記下端凹部の奥側で下方を向いた凹部奥面には、その凹部奥面における前記第２水平リブの先端側の縁部全体から下方に張り出した第１垂下横リブと、前記凹部奥面における前記第２水平リブの基端側の縁部全体から下方に張り出した第２垂下横リブと、前記凹部奥面から突出して前記第１垂下横リブと前記第２垂下横リブとの間を連絡した複数の垂下縦リブとが形成されると共に、
前記第１垂下横リブ及び前記第２垂下横リブにおける横方向の両端部の間に前記垂下縦リブがそれぞれ配置され、それら垂下縦リブの下端部から下端凹部の両側方に延びた１対の水平補強リブが、前記跳上側壁の外面に一体形成されたことを特徴とする折畳コンテナ。
【請求項５】
前記下端凹部の両側方で、前記第１水平リブと前記水平補強リブとに挟まれた１対の係合部屋を前記下端凹部に連通させて、前記外縁中央突部から両側方に突出した１対の係止突片を前記１対の係合部屋に収容可能とすると共に、前記１対の係合部屋の内面と前記１対の係止突片とに互いに凹凸係合可能な凹凸係合部を設けたことを特徴とする請求項４に記載の折畳コンテナ。
【発明の詳細な説明】
【技術分野】
【０００１】
本発明は、上下に対向配置された底部ベースと上部枠との間に１対の跳上側壁と１対の折曲側壁とを備え、１対の跳上側壁をそれらの上端部を中心に内側に回動してから、１対の折曲側壁を内側に２つ折りに畳むことが可能な折畳コンテナに関する。
【背景技術】
【０００２】
図１４に示した従来の折畳コンテナは、底部ベース１の下面のうち跳上側壁２の下方の外縁部中央から上方に突出した外縁中央突部（図示せず）を備えると共に、跳上側壁２の下端部に、図１５に示すように、外縁中央突部が嵌合する下端凹部５と、その下端凹部５によって分割された１対の第１水平リブ６，６と、下端凹部５の上端部を横切りかつその下端凹部５の両側方に延びた第２水平リブ７とを備えた構造になっている（例えば、特許文献１参照）。
【先行技術文献】
【特許文献】
【０００３】
【特許文献１】特開２００８−１３７７１３号（図１，図５）
【発明の概要】
【発明が解決しようとする課題】
【０００４】
しかしながら、上記した従来の折畳コンテナで、１対の第１水平リブ６，６の間が下端凹部５によって分断されたことによる跳上側壁２の強度低下が問題になり得た。
【０００５】
本発明は、上記事情に鑑みてなされたもので、従来より高強度な跳上側壁を備えた折畳コンテナの提供を目的とする。
【課題を解決するための手段】
【０００６】
上記目的を達成するためになされた請求項１の発明に係る折畳コンテナは、全体が直方体の箱形状をなし、その底部を構成する底部ベースと上部を構成する上部枠との間に、１対の跳上側壁と１対の折曲側壁とがそれぞれ対向配置され、跳上側壁が、上端部のみを上部枠に回動可能に連結される一方、折曲側壁が、上下の両端部を上部枠と底部ベースとに回動可能に連結され、１対の跳上側壁を上方に回動してから、１対の折曲側壁を内側に２つ折りに畳むことが可能な折畳コンテナであって、底部ベースの下面のうち跳上側壁の下方の外縁部中央から上方に突出した外縁中央突部を備え、跳上側壁の下端部には、外縁中央突部が嵌合する下端凹部と、跳上側壁の外面に突出形成されて跳上側壁の横方向に延びかつ下端凹部によって分割された１対の第１水平リブと、跳上側壁の外面に突出形成されて下端凹部の上端部を横切りかつ下端凹部の両側方に延びた第２水平リブとが備えられた折畳コンテナにおいて、第２水平リブの下面の一部で構成されて下端凹部の奥側で下方を向いた凹部奥面には、その凹部奥面における第２水平リブの先端側の縁部全体から下方に張り出した第１垂下横リブと、凹部奥面における第２水平リブの基端側の縁部全体から下方に張り出した第２垂下横リブと、凹部奥面から突出して第１垂下横リブと第２垂下横リブとの間を連絡した複数の垂下縦リブと、隣り合った１対の垂下縦リブの間を連絡しかつ凹部奥面から突出した垂下連絡リブとが形成されると共に、第２水平リブのうち垂下連絡リブより第１垂下横リブ側位置に貫通形成された第１ロック部材挿入孔と、外縁中央突部のうち第１ロック部材挿入孔と上下方向で対向する位置に貫通形成された第２ロック部材挿入孔と、底部ベースの側面に形成されて、外縁中央突部の下方空間を側方に開放した側面開口とを備えているところに特徴を有する。
【０００７】
請求項２の発明は、請求項１に記載の折畳コンテナにおいて、第１垂下横リブ及び第２垂下横リブにおける横方向の両端部の間に垂下縦リブがそれぞれ配置され、それら垂下縦リブの下端部から下端凹部の両側方に延びた１対の水平補強リブが、跳上側壁の外面に一体形成されたところに特徴を有する。
【０００８】
請求項３の発明は、請求項２に記載の折畳コンテナにおいて、下端凹部の両側方で、第１水平リブと水平補強リブとに挟まれた１対の係合部屋を下端凹部に連通させて、外縁中央突部から両側方に突出した１対の係止突片を１対の係合部屋に収容可能とすると共に、１対の係合部屋の内面と１対の係止突片とに互いに凹凸係合可能な凹凸係合部を設けたところに特徴を有する。
【０００９】
請求項４の発明は、全体が直方体の箱形状をなし、その底部を構成する底部ベースと上部を構成する上部枠との間に、１対の跳上側壁と１対の折曲側壁とがそれぞれ対向配置され、跳上側壁が、上端部のみを上部枠に回動可能に連結される一方、折曲側壁が、上下の両端部を上部枠と底部ベースとに回動可能に連結され、１対の跳上側壁を上方に回動してから、１対の折曲側壁を内側に２つ折りに畳むことが可能な折畳コンテナであって、底部ベースの下面のうち跳上側壁の下方の外縁部中央から上方に突出した外縁中央突部を備え、跳上側壁の下端部には、外縁中央突部が嵌合する下端凹部と、跳上側壁の外面に突出形成されて跳上側壁の横方向に延びかつ下端凹部によって分割された１対の第１水平リブと、跳上側壁の外面に突出形成されて下端凹部の上端部を横切りかつ下端凹部の両側方に延びた第２水平リブとが備えられた折畳コンテナにおいて、第２水平リブの下面の一部で構成されて下端凹部の奥側で下方を向いた凹部奥面には、その凹部奥面における第２水平リブの先端側の縁部全体から下方に張り出した第１垂下横リブと、凹部奥面における第２水平リブの基端側の縁部全体から下方に張り出した第２垂下横リブと、凹部奥面から突出して第１垂下横リブと第２垂下横リブとの間を連絡した複数の垂下縦リブとが形成されると共に、第１垂下横リブ及び第２垂下横リブにおける横方向の両端部の間に垂下縦リブがそれぞれ配置され、それら垂下縦リブの下端部から下端凹部の両側方に延びた１対の水平補強リブが、跳上側壁の外面に一体形成されたところに特徴を有する。
【００１０】
請求項５の発明は、請求項４に記載の折畳コンテナにおいて、下端凹部の両側方で、第１水平リブと水平補強リブとに挟まれた１対の係合部屋を下端凹部に連通させて、外縁中央突部から両側方に突出した１対の係止突片を１対の係合部屋に収容可能とすると共に、１対の係合部屋の内面と１対の係止突片とに互いに凹凸係合可能な凹凸係合部を設けたところに特徴を有する。
【発明の効果】
【００１１】
［請求項１の発明］
請求項１の折畳コンテナでは、下端凹部の奥側に第１垂下横リブと第２垂下横リブとを設けて第２水平リブの中間部を補強したことで、第１水平リブが下端凹部によって分断されたことによる強度低下を抑えることができる。また、第１垂下横リブと第２垂下横リブとの間を複数の垂下縦リブで連絡し、さらに、１対の垂下縦リブの間を凹部奥面から突出した垂下連絡リブで連絡したので、より一層、第２水平リブの中間部の補強が強固になり、従来より高強度な跳上側壁を備えた折畳コンテナとすることができる。
また、結束バンドを跳上側壁の第１と第２のロック部材挿入孔に通し、側面開口から側方に引き出して結束することで跳上側壁を起立状態に強固に保持することができる。このとき、結束バンドは、先端を第１ロック部材挿入孔に通して斜め上方から垂下連絡リブに摺接させることで湾曲し、容易に側面開口から引き出すことができ、これにより、結束バンドの取り付け作業を容易に行うことができる。なお、第１と第２のロック部材挿入孔には、結束バンド以外にピン等のロック部材を挿入してもよい。
【００１２】
［請求項２の発明］
請求項２の折畳コンテナでは、第１垂下横リブ及び第２垂下横リブの両端部の垂下縦リブから両側方に延びた１対の水平補強リブにより、第１垂下横リブ及び第２垂下横リブと、それらの両横部分とが一体になって跳上側壁の強度が増す。
【００１３】
［請求項３及び５の発明］
請求項３及び５の折畳コンテナでは、下端凹部の両側の１対の係合部屋に、外縁中央突部から両側方に突出した１対の係止突片が収容されて、係合部屋の内面と係止突片とに備えた凹凸係合部同士が係合することで、跳上側壁が起立状態に保持される。
【００１４】
［請求項４の発明］
請求項４の折畳コンテナでは、下端凹部の奥側に第１垂下横リブと第２垂下横リブとを設けて第２水平リブの中間部を補強したことで、第１水平リブが下端凹部によって分断されたことによる強度低下を抑えることができる。また、複数の垂下縦リブで第１垂下横リブと第２垂下横リブとの間を連絡したので、一層、第２水平リブの中間部の補強が強固になり、さらに、第１垂下横リブ及び第２垂下横リブの両端部の垂下縦リブから両側方に延びた１対の水平補強リブにより、第１垂下横リブ及び第２垂下横リブと、それらの両横部分とが一体になって跳上側壁の強度が増し、従来より高強度な跳上側壁を備えた折畳コンテナとすることができる。
【図面の簡単な説明】
【００１６】
【図１】本発明の一実施形態に係る折畳コンテナの斜視図
【図２】（Ａ）上部枠の上面側斜視図、（Ｂ）上部枠の下面側斜視図
【図３】（Ａ）底部ベースの上面側斜視図、（Ｂ）底部ベースの下面側斜視図
【図４】（Ａ）底部ベースの上面側の一部拡大斜視図、（Ｂ）底部ベースの下面側の一部拡大斜視図
【図５】（Ａ）跳上側壁の外面側斜視図、（Ｂ）跳上側壁の内面側斜視図
【図６】（Ａ）跳上側壁の外面側の一部拡大斜視図、（Ｂ）跳上側壁の内面側の一部拡大斜視図
【図７】跳上側壁を下面側から見た斜視図
【図８】組立状態の折畳コンテナの破断斜視図
【図９】下端凹部と外縁中央突部の破断斜視図
【図１０】係合部屋に係止突片が収容された状態の破断斜視図
【図１１】係合凹部と係合突部とが係合した状態の破断斜視図
【図１２】回動蓋を全開にした折畳コンテナの斜視図
【図１３】折畳状態の折畳コンテナの斜視図
【図１４】従来の折畳コンテナの斜視図
【図１５】従来の折畳コンテナが有する跳上側壁の斜視図
【発明を実施するための形態】
【００１７】
以下、本発明の一実施形態を図１〜図１３に基づいて説明する。図１に示すように、本実施形態の折畳コンテナ１０は、全体が直方体の箱形状をなした樹脂成形品であって、その底部を構成する底部ベース１１と上部を構成する上部枠２０との間に、１対ずつの折曲側壁３０，３０と跳上側壁４０，４０とが組み付けられ、さらに、上部枠２０の上面に１対の上面蓋５０，５０が組み付けられた構造になっている。
【００１８】
図２（Ａ）に示すように、上部枠２０は長方形の枠状になっている。その上部枠２０の１対の長辺部分における上面には、蓋回動支持部２０Ｅ，２０Ｅが形成され、それら各蓋回動支持部２０Ｅに上面蓋５０（図１及び図１２参照）が回動可能に連結されている。また、上部枠２０の１対の短辺部分における上面には、それぞれ１対ずつ計４つの上面突部２２が突出形成され、それら上面突部２２が図１に示すように、上面蓋５０に貫通形成された係合孔５１を通過して上面蓋５０の上方に突出するようになっている。また、図２（Ａ）に示すように、上部枠２０の１対の短辺部分における内面には、その長手方向の中央に閉止孔２４が形成され、各上面蓋５０に組み付けられた係止スライダ６０（図１参照）をスライドさせて閉止孔２４に係合させることで上面蓋５０を閉止状態に保持することができる。
【００１９】
なお、各上面蓋５０は、その外縁部全体を構成する不透明な樹脂製の枠部材５０Ｈと、その枠部材５０Ｈの内側開口を閉塞した無色透明な樹脂製の窓板部材５０Ｇとの一体成形品になっている。
【００２０】
図２（Ｂ）に示すように、上部枠２０の長辺部分及び短辺部分は共に断面形状が下方に開放した溝形構造になっている。その溝形構造で溝開口を挟んで対向した外側枠側壁２０Ａ及び内側枠側壁２０Ｂは、外側枠側壁２０Ａが内側枠側壁２０Ｂより下方に長く延びると共に、上部枠２０の短辺部分における内側枠側壁２０Ｂの下端が、長辺部分における内側枠側壁２０Ｂの下端より上方に位置している。そして、上部枠２０の長辺部分における外側枠側壁２０Ａの下端部内面に長辺側回動支持部２０Ｄ，２０Ｄが形成される一方、上部枠２０の１対の短辺部分における外側枠側壁２０Ａの内面に短辺側回動支持部２０Ｃ，２０Ｃが形成され、短辺側回動支持部２０Ｃが長辺側回動支持部２０Ｄより上側に配置されている。
【００２１】
図３（Ａ）に示すように、底部ベース１１は、平面形状が上部枠２０と同じ長方形をなし、上面外縁部全体から底面包囲壁１１Ｓが突出して全体がトレイ状になっている。また、図３（Ｂ）に示すように、底部ベース１１の下面には、外縁部を除く全体に格子リブ１１Ｌが突出形成されている。さらに、底部ベース１１のうち下面と側面とが交差する外縁角部には、各長辺部分の両端寄りの２位置と、各短辺部分の中央位置とに、それぞれ指掛け凹部１３が陥没形成されている。指掛け凹部１３は、下方と側方とに開放していて、折畳コンテナ１０を複数積み上げた際に、指掛け凹部１３の側面開口１３Ｗ（図１０参照）から上下の折畳コンテナ１０，１０同士の間に指を差し込むための空間が形成される。
【００２２】
図３（Ａ）に示すように、底面包囲壁１１Ｓにおける１対の長辺部分の内側には、長辺側回動支持部１１Ｄが備えられている。一方、底面包囲壁１１Ｓにおける１対の短辺部分の内側には、中央部に外縁中央突部１１Ｒが設けられると共に、中央寄りの２位置に１対の角形突起１１Ｍ，１１Ｍが設けられ、さらに、両端部に１対の係合凹部１１Ｚ，１１Ｚが設けられている。
【００２３】
角形突起１１Ｍは、図４（Ａ）に拡大して示すように、全体が直方体状になっている。また、係合凹部１１Ｚは、角形突起１１Ｍより低い扁平突部１１Ｘの上面に陥没形成されている。また、外縁中央突部１１Ｒは、底部ベース１１の外縁部に沿って延びた直方体の筐体構造をなし、その外縁中央突部１１Ｒの内部空間は、図４（Ｂ）に示すように、底部ベース１１の下面側に開放して指掛け凹部１３の一部になっている。即ち、指掛け凹部１３と外縁中央突部１１Ｒとは相互に表裏の位置関係になっている。詳細には、図４（Ａ）に示すように、外縁中央突部１１Ｒは、底部ベース１１の底面から直立した第１側壁１９Ａと、その第１側壁１９Ａの上端部と底面包囲壁１１Ｓの上端寄り位置との間に差し渡されて水平になった上部壁１９Ｂと、それら第１側壁１９Ａと上部壁１９Ｂの底面包囲壁１１Ｓとに囲まれた四角形の開口を閉塞する第２側壁１９Ｃとからなる。
【００２４】
図４（Ｂ）に示すように、上部壁１９Ｂの下面のうち長手方向の中央には、補強突部１９Ｄが段付き状に下方に突出していて、その補強突部１９Ｄの中央に断面四角形の第２ロック部材挿入孔１４が貫通形成されている。また、図９に示すように、第２ロック部材挿入孔１４のうち外縁中央突部１１Ｒの短手方向で対向した１対の対向面１４Ｎ，１４Ｎは、下方に向かうに従って互いに接近するように傾斜している。
【００２５】
図４（Ａ）に示すように、外縁中央突部１１Ｒの長手方向の両端面における上端寄り位置からは、係止突片１１Ｋ，１１Ｋが側方に突出している。なお、底部ベース１１の底面のうち係止突片１１Ｋ、１１Ｋと対向する位置には、係止突片１１Ｋの下面を金型にて成形するための型抜き孔１１Ｗ，１１Ｗが形成されている。その係止突片１１Ｋの下面には、図４（Ｂ）及び図１０に示すように、下面凹部１１Ｙ（本発明の「凹凸係合部」に相当する）が陥没形成されている。また、図４（Ａ）及び図１０に示すように、係止突片１１Ｋの下面のうち底面包囲壁１１Ｓから離れた側の縁部には、傾斜面１１Ｖが形成されている。
【００２６】
図１に示すように、折曲側壁３０は、中央の中間ヒンジ３３で上側折曲側壁３１と下側折曲側壁３２とに分割され、上側折曲側壁３１の上端部が上部枠２０の長辺側回動支持部２０Ｄ（図２（Ｂ）参照）に回動可能に連結される一方、下側折曲側壁３２の下端部が底部ベース１１の長辺側回動支持部１１Ｄ（図３（Ａ）参照）に回動可能に連結されている。そして、上側及び下側の折曲側壁３１，３２が共に起立した起立姿勢と、上側及び下側の折曲側壁３１，３２が外面同士を重ねて内側に２つ折りにされた折畳姿勢とに変更することができる。また、上側及び下側の折曲側壁３１，３２の両側部からは跳上側壁４０側に向かってサイドフック３４が突出している。サイドフック３４は、上側及び下側の折曲側壁３１，３２の左右方向の両端部から裏面側に張り出して、その先端部が図示しないが跳上側壁４０側に屈曲したフック形状になっている。
【００２７】
なお、下側折曲側壁３２の外面の下端寄り位置には、後述する跳上側壁４０のホルダ固定部４３，４３と同様の１対のホルダ固定突部３５，３５が備えられている。さらに、上側折曲側壁３１は、その外縁部全体を構成する不透明な樹脂製の枠部材３１Ｈと、その枠部材３１Ｈの内側開口を閉塞した無色透明な樹脂製の窓板部材３１Ｇとの一体成形品になっている。これと同様に下側折曲側壁３２も枠部材３２Ｈと窓板部材３２Ｇとの一体成形品になっている。
【００２８】
さて、図５（Ａ）に示すように、跳上側壁４０は、例えば、全体が略正方形で平板状の主要板部４９にリブ等を設けて補強した構造になっている。具体的には、跳上側壁４０には、主要板部４９の両側縁部を下端部から上端寄り位置に亘って外側に膨出させて１対の第１膨出突部４１，４１が形成され、それら第１膨出突部４１，４１の隣には、第１膨出突部４１と同様に主要板部４９の一部を膨出させてなりかつ第１膨出突部４１，４１と同じ長さで上下方向に延びた第２膨出突部４２，４２が形成されている。また、第１膨出突部４１，４１における上下方向の２位置には、それぞれコーナー連結部４５，４５が形成されている。各コーナー連結部４５は、第１膨出突部４１のうち跳上側壁４０の両側面になっている部分の一部を外側から陥没させて、その陥没部分の奥面から連結片４５Ｔを突出させた構造になっていて、ここに上記した折曲側壁３０のサイドフック３４が係合する。
【００２９】
跳上側壁４０には、その下端側から順番に第１水平リブ４０Ｅ、第２水平リブ４０Ｄ、第３水平リブ４０Ｊ及び第４水平リブ４０Ｆが備えられている。具体的には、図５（Ａ）に示すように、第４水平リブ４０Ｆは、跳上側壁４０の外面上端寄り位置で、跳上側壁４０の左右方向全体に亘って延び、その第４水平リブ４０Ｆの上側部分が上端連結部４７になっている。そして、この上端連結部４７が上部枠２０の短辺側回動支持部２０Ｃに結合して、底部ベース１１に対して跳上側壁４０が起立姿勢と内側に折り畳まれた折畳姿勢との間で回動する。また、跳上側壁４０の上部中央には、第４水平リブ４０Ｆの下面に隣接させて指掛けフード４４が設けられている。
【００３０】
図５（Ａ）に示すように、第３水平リブ４０Ｊは、跳上側壁４０の外面のうち指掛けフード４４の両側方に対をなして設けられている。これら１対の第３水平リブ４０Ｊ，４０Ｊは、跳上側壁４０の側面から互いに接近するように水平に延び、途中から斜め上方に延びて第４水平リブ４０Ｆの下面に繋がっている。
【００３１】
第２水平リブ４０Ｄは、跳上側壁４０の外面の下端寄り位置に配置されて、跳上側壁４０の左右方向全体に亘って延びている。また、第１水平リブ４０Ｅは、跳上側壁４０の最下端に配置され、跳上側壁４０の横方向のうち次述する下端凹部４０Ｒを除く全体に亘って形成されている。なお、第２水平リブ４０Ｄのうち第１及び第２の膨出突部４１，４２と交差する部分は、図５（Ｂ）に示すように跳上側壁４０の内面における第１及び第２の膨出突部４１，４２の裏側の溝状陥没部を横切っている。また、第２水平リブ４０Ｄより上側部分には、第１膨出突部４１の裏側の溝状陥没部を横切る複数の溝内リブ４０Ｐが設けられている。
【００３２】
図５（Ａ）に示すように、跳上側壁４０の横方向における中央には、第２水平リブ４０Ｄより下側で主要板部４９を横長の四角形に切除して下端凹部４０Ｒが形成されている。そして、第２水平リブ４０Ｄの中央部が下端凹部４０Ｒの上端部を横切って下端凹部４０Ｒの奥側の凹部奥面４０Ｘ（図７参照）を構成している。
【００３３】
図７に示すように、凹部奥面４０Ｘのうち跳上側壁４０の先端側の縁部全体から下方に第１垂下横リブ９１が張り出し、凹部奥面４０Ｘのうち跳上側壁４０の基端側の縁部全体から第２垂下横リブ９２が下方に張り出している。そして、第１と第２の垂下横リブ９１，９２の間が凹部奥面４０Ｘに突出形成された複数の垂下縦リブ９３，９３，９６，９６によって連絡されている。それらのうち１対の垂下縦リブ９６，９６は、第１と第２の垂下横リブ９１，９２における長手方向の両端に配置され、残りの１対の垂下縦リブ９３，９３は、第１と第２の垂下横リブ９１，９２の長手方向の中央寄りの２位置に配置されている。また、中央寄りに配置された１対の垂下縦リブ９３，９３の間は、凹部奥面４０Ｘから突出した垂下連絡リブ９４によって連絡されている。なお、図９に示すように、垂下連絡リブ９４は、第１と第２の垂下横リブ９１，９２の間のうち第２垂下横リブ９２寄りに配置され、第１及び第２の垂下横リブ９１，９２より薄肉でかつ凹部奥面４０Ｘからの突出量が第１及び第２の垂下横リブ９１，９２より小さくなっている。また、第１垂下横リブ９１の下端面のうち第２垂下横リブ９２と反対側の縁部全体は丸みを帯びている。
【００３４】
図６（Ａ）に示すように、第１垂下横リブ９１と第２水平リブ４０Ｄとの角部には、第１ロック部材挿入孔４６が貫通形成されている。第１ロック部材挿入孔４６は、下端凹部４０Ｒの横方向の中央に配置され、図９に示すように、第２水平リブ４０Ｄのうち垂下連絡リブ９４に対して僅かに第１垂下横リブ９１側に離れた位置から、第１垂下横リブ９１の上端寄り位置に亘って形成されている。そして、跳上側壁４０を起立姿勢にすると、第１ロック部材挿入孔４６と前記底部ベース１１の第２ロック部材挿入孔１４とが上下方向で対向する。
【００３５】
図６（Ａ）に示すように、下端凹部４０Ｒの両側部分には、１対の第１水平リブ４０Ｅ，４０Ｅの一部を上方にクランク状に屈曲させて１対の突部係合凹部４０Ｎ，４０Ｎが形成されている。そして、各突部係合凹部４０Ｎを挟んだ各２箇所には、第２水平リブ４０Ｄと第１水平リブ４０Ｅとの間を連絡する１対の縦リブ４０Ｌ，４０Ｌが設けられている。そして、跳上側壁４０の外面に突出形成された１対の水平補強リブ９５，９５が、第１と第２の垂下横リブ９１，９２の両端部の垂下縦リブ９６，９６における下端部と縦リブ４０Ｌ，４０Ｌとの間に差し渡されている。なお、跳上側壁４０の外面からの水平補強リブ９５，９５の突出量は、第１及び第２の水平リブ４０Ｅ，４０Ｄの突出量より小さくなっている。
【００３６】
下端凹部４０Ｒの両側方で、第１水平リブ４０Ｅと水平補強リブ９５と縦リブ４０Ｌとに囲まれた１対の係合部屋４０Ｍ，４０Ｍは、下端凹部４０Ｒに連通している。詳細には、跳上側壁４０の主要板部４９における下端凹部４０Ｒ側の縁部には、第１水平リブ４０Ｅと水平補強リブ９５との間を連絡するように補強突条９７が突出していて、その補強突条９７における主要板部４９からの突出量が第１水平リブ４０Ｅ及び水平補強リブ９５より小さくなっている。これにより、係合部屋４０Ｍは、下端凹部４０Ｒに連通している。そして、跳上側壁４０を起立姿勢にすると、図１０に示すように、底部ベース１１の１対の係止突片１１Ｋ，１１Ｋが、跳上側壁４０の１対の係合部屋４０Ｍ，４０Ｍに収容される。また、図６（Ａ）に示すように、係合部屋４０Ｍ内における第１水平リブ４０Ｅの上面には、係合突部４０Ｕ（本発明の「凹凸係合部」に相当する）が形成されている。図１０に示すように、係合突部４０Ｕは、全体が丸みを帯びた形状になっていて、係合突部４０Ｕのうち跳上側壁４０の主要板部４９と反対側は緩やかに傾斜している。なお、主要板部４９には、係合突部４０Ｕとの対向位置に型抜き孔４９Ａ（図６（Ｂ）参照）が形成されている。なお、図７に示すように、第１水平リブ４０Ｅのうち下端凹部４０Ｒ側の先端角部には、ガイド斜面４０Ｖが形成されている。
【００３７】
図５（Ｂ）に示すように、跳上側壁４０の横方向の両端部には、第１水平リブ４０Ｅを若干、上方に平行移動するように屈曲させて、跳上側壁４０の下面両端部に底上げ面４０Ｋが形成され、それら底上げ面４０Ｋに係合突部４０Ｚが突出形成されている。その係合突部４０Ｚには、図１１に示すように、跳上側壁４０の外面側から内面側に向かって緩やかに下方に傾斜した第１ガイド面４８Ａと、跳上側壁４０の内面側から外面側に向かって第１ガイド面４８Ａより急峻に下方に傾斜した第２ガイド面４８Ｂとが備えられている。
【００３８】
なお、主要板部４９のうち第２膨出突部４２，４２の間で第２水平リブ４０Ｄの上隣りの帯状領域は、第２膨出突部４２より小さく外側に膨出して段付膨出部４０Ｓになっている。また、段付膨出部４０Ｓのうち突部係合凹部４０Ｎ，４０Ｎの上方の２位置から外側にホルダ固定突部４３，４３が突出形成され、それらホルダ固定突部４３，４３と第２水平リブ４０Ｄとが上下方向で隙間を空けて対向し、図１０に示すように、各ホルダ固定突部４３の下面には、係止突起４３Ｔが形成されている。そして、これらホルダ固定突部４３，４３に図示しないカードホルダが取り付けられ、そのカードホルダと跳上側壁４０の外面との間で、カードを保持することができる。また、跳上側壁４０も、上側及び下側の折曲側壁３０，３１と同様に、外縁部全体を構成する不透明な樹脂製の枠部材４０Ｈと、その枠部材４０Ｈの内側開口を閉塞した無色透明な樹脂製の窓板部材４０Ｇとを一体成形した構造になっている。
【００３９】
本実施形態の折畳コンテナ１０の構成に関する説明は以上である。次に、折畳コンテナ１０の作用効果について説明する。本実施形態の折畳コンテナ１０は、不使用時には、１対の跳上側壁４０，４０、１対の折曲側壁３０，３０の順番で折り畳んで、図１３に示すように折畳状態にすることができる。その折畳状態から折畳コンテナ１０を組立状態にするには、上部枠２０を底部ベース１１から上方に引き離すように持ち上げて折曲側壁３０，３０を起立姿勢にしてから、それら折曲側壁３０，３０の両端部の間に向けて１対の跳上側壁４０，４０を下方に回動し、起立姿勢にする。すると、図１に示すように、折曲側壁３０のサイドフック３４群が跳上側壁４０の連結片４５Ｔに係合して折曲側壁３０と跳上側壁４０とが一体になり、折畳コンテナ１０が組立状態になる。
【００４０】
このとき、跳上側壁４０の下端部と底部ベース１１との間では、図６（Ａ）に示した跳上側壁４０の下端凹部４０Ｒに、図４（Ａ）に示した底部ベース１１の外縁中央突部１１Ｒが図８及び図９に示すように嵌合すると共に、図６（Ａ）に示した跳上側壁４０の１対の突部係合凹部４０Ｎ，４０Ｎに、図４（Ａ）に示した底部ベース１１の角形突起１１Ｍ，１１Ｍが嵌合する。これにより、跳上側壁４０の底部ベース１１に対する左右方向のズレが規制される。これらに加え、底部ベース１１のうち外縁中央突部１１Ｒから両側方に張り出した係止突片１１Ｋ，１１Ｋ（図４（Ａ）参照）が、跳上側壁４０における下端凹部４０Ｒの両側の係合部屋４０Ｍ，４０Ｍ（図６（Ａ）参照）に収容され、図１０に示すように、各係止突片１１Ｋの下面凹部１１Ｙに各係合部屋４０Ｍ内面の係合突部４０Ｕが係合して、跳上側壁４０の内側への回動が規制される。また、跳上側壁４０の横方向の両端部における係合突部４０Ｚ（図７参照）と底部ベース１１の係合凹部１１Ｚ（図４（Ａ）参照）も図１１に示すように凹凸係合して、跳上側壁４０の内側への回動が規制される。なお、跳上側壁４０の外側への回動は、跳上側壁４０の下端部と底面包囲壁１１Ｓとの当接によって規制される。
【００４１】
ここで、跳上側壁４０をより強固に起立姿勢に保持するには、例えば、図示しない結束バンドを図９に示した跳上側壁４０の第１ロック部材挿入孔４６と底部ベース１１の第２ロック部材挿入孔１４とに通し、指掛け凹部１３の側面開口１３Ｗから側方に引き出して結束すればよい。このとき、結束バンドは、先端を第１ロック部材挿入孔４６に通して斜め上方から垂下連絡リブ９４に摺接させることで湾曲し、容易に側面開口１３Ｗから側方に引き出すことができ、これにより結束バンドの取り付け作業を容易に行うことができる。
【００４２】
ところで、折畳コンテナ１０を組立状態から折畳状態にするには、跳上側壁４０を外面側から押圧又は殴打して、係合突部４０Ｕと下面凹部１１Ｙとの間の係合（図１０参照）と、係合突部４０Ｚと係合凹部１１Ｚとの間の係合（図１１参照）とを解除する。その際、跳上側壁４０の下端部には、係合解除に対する反力によって、跳上側壁４０の下端部中央に大きな曲げ応力が負荷として作用し得る。また、結束バンドにて跳上側壁４０の下端部と底部ベース１１とが連結された状態で誤って折畳コンテナ１０を折り畳もうとして、跳上側壁４０を外面側から押圧又は殴打すると、跳上側壁４０の下端部中央部に大きな引張応力が負荷として作用し得る。
【００４３】
しかしながら、本実施形態の折畳コンテナ１０では、第１及び第２の垂下横リブ９１，９２、垂下縦リブ９３，９６及び垂下連絡リブ９４により第２水平リブ４０Ｄの中間部を補強することで、第１水平リブ４０Ｅが下端凹部４０Ｒによって分断されたことによる強度低下が抑えられ、従来より跳上側壁４０の強度が高くなっている。また、第１と第２の垂下横リブ９１，９２から両側方に延びた１対の水平補強リブ９５，９５により、第１と第２の垂下横リブ９１，９２とそれらの両横部分とが一体になり、この点においても跳上側壁４０の強度が従来より高くなっている。これらにより、本実施形態の折畳コンテナ１０の跳上側壁４０では、上記した大きな負荷にも耐えることができる。
【００４４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４５】
（１）前記実施形態の折畳コンテナ１０は、結束バンドを挿通するための第１と第２のロック部材挿入孔１４，４６を有していたが、第１と第２のロック部材挿入孔を有しない構成としてもよい。
【００４６】
（２）前記実施形態の折畳コンテナ１０では、垂下連絡リブ９４が第１垂下横リブ９１より低くかつ短くかつ薄肉になっていたが、垂下連絡リブ９４を第１垂下横リブと同じ形状にしてもよい。
【００４７】
（３）前記実施形態の折畳コンテナ１０は、外縁中央突部１１Ｒの裏面側に指掛け凹部１３が備えられていたが、指掛け凹部１３の代わりに、外縁中央突部１１Ｒの裏面側に機械アームが挿入されかつ指を挿入することができない凹部を備えた構成にしてもよい。
【符号の説明】
【００４８】
１０    折畳コンテナ
１１    底部ベース
１１Ｋ    係止突片
１１Ｙ  下面凹部（凹凸係合部）
１１Ｒ    外縁中央突部
１３Ｗ  側面開口
１４    第２ロック部材挿入孔
２０    上部枠
３０    折曲側壁
３１    上側折曲側壁
３２    下側折曲側壁
３４    サイドフック
４０    跳上側壁
４０Ｄ    第２水平リブ
４０Ｅ    第１水平リブ
４０Ｍ    係合部屋
４０Ｒ    下端凹部
４０Ｕ    係合突部（凹凸係合部）
４０Ｘ    凹部奥面
４６    第１ロック部材挿入孔
９１    第１垂下横リブ
９２    第２垂下横リブ
９３，９６    垂下縦リブ
９４    垂下連絡リブ
９５    水平補強リブ
【図１】
0005757570.tif 000002
【図２】
0005757570.tif 000003
【図３】
0005757570.tif 000004
【図４】
0005757570.tif 000005
【図５】
0005757570.tif 000006
【図６】
0005757570.tif 000007
【図７】
0005757570.tif 000008
【図８】
0005757570.tif 000009
【図９】
0005757570.tif 000010
【図１０】
0005757570.tif 000011
【図１１】
0005757570.tif 000012
【図１２】
0005757570.tif 000013
【図１３】
0005757570.tif 000014
【図１４】
0005757570.tif 000015
【図１５】
0005757570.tif 000016